(57)【要約】      （修正有）【課題】粘着テープロールを用いる転動型掃除具において、粘着テープロールを保持するホルダの内側にゴミを掃き寄せるブラシを内部に収納できる転動型掃除具を提供する。【解決手段】ゴミを掃き寄せるためのブラシ４を転動型掃除具の軸３に取付け、粘着テープロールの内部に収納する構造とし、ブラシの出し入れは粘着テープロールと粘着テープロールを取り付けるホルダとを一体として振ったり転動用軸にショックを与えることで可能とし、ブラシの出し入れ状態を磁石１１と磁性体板１２に作用する磁力を用いて保持する。【選択図】図３
0003185653.tif 000002
【実用新案登録請求の範囲】
【請求項１】
粘着テープ材の粘着面が外側になるように筒状に積層巻した粘着テープロールを円柱状のホルダに装着し、ホルダの中心軸を中心としてホルダを回転可能とし、前記ホルダに装着した前記粘着テープロールを前記ホルダごとにころがして掃除するコロコロ掃除具において、コロコロ掃除具（２）の中心軸に設けるコロコロ軸（３）の先端にブラシ（４）を装着し、コロコロ軸（３）のころがし方向と直交する方向にスライドできるようホルダ（５）に中心孔を開け、ブラシ（４）を押し出したときにはホルダ（５）のブラシ（４）の取付側と反対側には第２リンク磁石（１３）とコロコロ軸（３）に固着した第２磁性体板（１５）を吸着させブラシ（４）を押し出した状態で保持し、またホルダ（５）にはホルダ（５）にブラシ（４）を引き込む円筒状の空間を設けて、コロコロ軸（３）をブラシ（４）の押し出し方向と反対方向への移動を可能とし、コロコロ軸（３）に挿入した空隙規制円筒（６）にて、ブラシ（４）の底面に固定した第１リング磁石（１１）とホルダ（５）に固定した第１磁性体板（１２）との間の吸引力を利用してブラシ（４）の収納位置を安定させるブラシ（４）が収納できるコロコロ掃除具（２１）。
【請求項２】
請求項１に示すコロコロ掃除具（２１）の第１磁性体板（１２）とホルダ（５）の凹みとの間につばが付いたスリーブ状の第１回転リング（１６）を設け、回転リング抑え板（１４）または第２リング磁石（１３）とホルダ（５）の凹みとの間につばが付いたスリーブ状の第２回転リング（１７）を設けたブラシ（４）が収納できるコロコロ掃除具（２２）。
【請求項３】
請求項１、２のいずれかのブラシ（４）が格納できるコロコロ掃除具（２１）または（２２）のいずれかにおいて、ホルダ（５）のブラシ（４）収納側と反対側に第２端部保持器（８）を設け、端部保持器（８）を設けたブラシ（４）が収納できるコロコロ掃除具（２３）。
【考案の詳細な説明】
【技術分野】
【０００１】粘着テープロールを用いるコロコロ掃除具において、粘着テープロールを保持するホルダの内側にゴミを掃き寄せるブラシを内部に収納できるコロコロ掃除具に関する。
【背景技術】
【０００２】粘着テープロールを用いるコロコロ掃除具には、その形状から掃除する場面、場所に制限がある。そこで局所のゴミを掃き寄せて粘着テープロールに付着させることが望まれる。そのため粘着テープロールにブラシを併設したゴミの掃除具は多くの事例がある。また、特許文献１及び２のように粘着テープロールの持ち手部分にブラシを取り付ける事例がある。
【先行技術文献】
【特許文献】
【０００３】
【特許文献１】公開実用新案公報  昭５８−９８０６３
【特許文献２】公開実用新案公報  昭６０−６３１５１
【考案の概要】
【考案が解決しようとする課題】
【０００４】快適に掃除が可能な粘着テープロールを用いたコロコロ掃除具において、常にブラシを併設しておく掃除具は、その形状が大きくなり、時にはブラシを設けた効果が問われることがある。また、特許文献１及び２のブラシ配置は構造的にハンドブラシに制限され、コロコロ掃除具のように人が立ち姿で用いる掃除具ではブラシの使用が煩わしい。
【課題を解決するための手段】
【０００５】粘着テープロールを用いる掃除具の使い勝手を良くするために、粘着テープロールホルダをコロコロ軸上で横行可能に取付け、粘着テープロールを装着するホルダ内にコロコロ軸に直結したブラシのブラシ部分を収納する空間を設けておき、ブラシの収納、押し出した状態を磁石により保持し、操作は上記磁石の保持力に打ち勝つように粘着テープロールとホルダを一体としてが横行するように、当該掃除具の握り手を持ち振ることでブラシの出し入れができる構造として実現できる。
【考案の効果】
【０００６】本考案のコロコロ掃除具は、立ち姿で掃除する握り手を持ち長い操作棒の先に粘着テープロールをホルダに装着する構造の掃除具において、粘着テープロールを掃除方向に対して横方向に横行させることでブラシを出し入れすることができ、ブラシの収納、押し出し状態を磁力を用いて保持するため煩わしい操作を要せず、しかも、ブラシを粘着テープロールと並設する必要がないコンパクトな構成ができる。【０００７】ブラシ収納ができるコロコロ掃除具は、ホルダがコロコロ軸上で回転するとともに、横行できなくてならないため、コロコロ軸とホルダの結合は、つばがついた回転リングを用いることで、ホルダの回転、横行が円滑に行え、長期にわたる使用が可能となる。【０００８】ブラシ収納可能なコロコロ掃除具では、ホルダ内部にゴミが入りやすいため、ブラシ側はブラシとホルダ内のブラシ収納空間とブラシとの間隙を少なくすることと、ブラシ収納の反対側には第２端部保持器をはめ込むことで、ゴミの入り込みを防ぎ長期にわたり滑らかな操作が可能となる。
【図面の簡単な説明】
【０００９】
【図１】ブラシを押し出した状態のブラシを収納可能なコロコロ掃除具
【図２】ブラシを収納した状態のブラシ収納可能なコロコロ掃除具
【図３】本考案のブラシを収納した状態のコロコロ掃除具Ａ−Ａ断面図
【図４】第２の考案のブラシを収納した状態のコロコロ掃除具Ａ−Ａ断面図
【図５】第３の考案のブラシを収納した状態のコロコロ掃除具Ａ−Ａ断面図
【図６】第２の考案のブラシ側回転リング取付構造図
【図７】第２の考案の握り手側回転リング取付構造図
【考案を実施するための形態】
【００１０】本考案は、粘着テープロールによる吸着によるゴミ掃除とブラシによるゴミを掃き寄せる掃除をコンパクトに構成するために、ブラシを粘着テープロールの内部に収納可能とし、適時にブラシを引き出すことを可能として、ブラシの収納、押し出し状体を磁石による磁力で保持する構造を用いて実現する。
【実施例１】
【００１１】本考案の実施例を図１から図３を用いて説明する。図１はブラシを押し出した状態の斜視図であり、ブラシ４を押し出した状態を示している。また、図２はブラシ４を収納した状態を示しており、粘着ロールテープ１を装着したホルダ５ごとコロコロ３の軸上を横行（Ｌ１）させることによりブラシ４を出し入れする構造を採る。【００１２】本考案を図２のＡ−Ａ断面図として、図３を用いて説明する。ホルダ５は、２つに分割し連結する構造をを採り、ブラシ側ホルダ５ａのブラシ収納側隔壁にはワッシャー状の第１磁性体板１２を固定し、握り手側ホルダ５ｂの隔壁には第２リング磁石１３を固定したうえでホルダ５ａ及び５ｂを連結しホルダ５を形成し、さらに、粘着テープロール１の位置を決めるため第１端部保持器７を嵌合し固定しておく。コロコロ軸３は先端にブラシ４を固定するためのねじを切っておきブラシ４と螺合することとし、ブラシ４の出し入れを考慮してコロコロ軸３の先端からの位置に第２磁性体板１５をコロコロ軸３上に固定しておく。【００１３】ブラシ４の底部にはコロコロ軸３をねじ込む取付ナット１０を固着するとともに、第１リング磁石１１を取り付ける。【００１４】第２磁性体板１５を固定したコロコロ軸３をホルダ５の中心部の孔と、空隙規制円筒６を通しておき、ブラシ４の底部の取付ナット１０と強く螺合して、ブラシ収納が可能なコロコロ掃除具２１を完成する。
【実施例２】
【００１５】第２の考案を図２のＡ−Ａ断面図として図４を、また図６及び図７を用いて説明する。ホルダ５は、２つに分割し連結する構造をを採り、図６に示すようにブラシ側ホルダ５ｃには、回転リング１６のつば部分を凹み空間を利用して、回転リング１６を挿入した上で、ワッシャー状の第１磁性体板１２を固定することで、第１回転リンク１６を挟んでおく。図７に示すように握り手側ホルダ５ｄの隔壁には第２回転リンク１７のつば部分を凹み空間を利用して、回転リング抑え板１４と第２リング磁石１３を固定することで第２回転リング１７を挟み込み、ホルダ５ｃ及び５ｄを連結し、ホルダ５を形成し、さらに、粘着テープロール１の位置を決めるため第１端部保持器７を嵌合しておく。コロコロ軸３は先端にブラシ４を固定するためのねじを切っておきブラシ４の取付ナット１０と螺合することとし、ブラシ４の出し入れを考慮した位置に第２磁性体板１５をコロコロ軸３上に固定しておく。【００１６】ブラシ４の底部にはコロコロ軸３をねじ込む取付ナット１０を固着するとともに、第１リング磁石１１を取り付けておく。【００１７】第２磁性体板１５を固定したコロコロ軸３をホルダ５の中心部の孔に挟み込んでいる第２回転リング１７及び第１回転リング１６を通して、空隙規制円筒６を通しておき、ブラシ４の底部の取付ナット１０と強く螺合して、ブラシ収納が可能なコロコロ掃除具２２を完成する。
【実施例３】
【００１８】第３の考案については図５で説明する。第３の考案はブラシ収納可能なコロコロ掃除具２１か２２のいずれかを組み立てと大部分は同じであるが、図５に示すように第２端部保持器８を第１端部保持器７に代えて用いるため、コロコロ掃除具２１か２２のいずれかの組み立て過程で、第１端部保持器７の取付を省き、握り手側からコロコロ軸３に第２端部保持器８を予め通しておき、ブラシ収納可能なコロコロ掃除具２１か２２のいずれかを組み立てた後で、第２端部保持器８を取付けブラシ収納可能なコロコロ掃除具２３を組み立てる。
【産業上の利用可能性】
【００１９】本考案のブラシ収納が可能なコロコロ掃除具は、ブラシの出し入れ操作が異なるが、ハンドブラシ形式のコロコロ掃除具についても適用可能であることは言うまでもない。
【符号の説明】
【００２０】１  粘着テープロール
２  一般的なコロコロ掃除具
３  コロコロ軸
４  ブラシ
５  ホルダ
５ａ、５ｂ  ホルダ５の連結部分
５ｃ、５ｄ  回転リングのつばを収納できるホルダ５の連結部分
６  空隙規制円筒
７  第１端部保持器
８  第２端部保持器
１０  取付ナット
１１  第１リング磁石
１２  第１磁性体板
１３  第２リング磁石
１４  回転リング抑え板
１５  第２磁性体板
１６  第１回転リング
１７  第２回転リング
１８  握り手
２１、２２、２３  ブラシ収納可能なコロコロ掃除具
Ｌ１  ホルダーの横行距離
Ｌ２  規制空隙
【図１】
0003185653.tif 000003
【図２】
0003185653.tif 000004
【図３】
0003185653.tif 000005
【図４】
0003185653.tif 000006
【図５】
0003185653.tif 000007
【図６】
0003185653.tif 000008
【図７】
0003185653.tif 000009
【手続補正書】
【提出日】平成25年6月17日(2013.6.17)
【手続補正１】
【補正対象書類名】実用新案登録請求の範囲
【補正対象項目名】全文
【補正方法】変更
【補正の内容】
【実用新案登録請求の範囲】
【請求項１】
粘着テープ材の粘着面が外側になるように筒状に積層巻した粘着テープロールを円柱状のホルダに装着し、ホルダの中心軸を中心としてホルダを回転可能とし、前記ホルダに装着した前記粘着テープロールを前記ホルダごとにころがして掃除する転動型掃除具において、転動型掃除具（２）の中心軸に設ける転動用軸（３）の先端にブラシ（４）を装着し、転動用軸（３）のころがし方向と直交する方向にスライドできるようホルダ（５）に中心孔を開け、ブラシ（４）を押し出したときにはホルダ（５）のブラシ（４）の取付側と反対側には第２リンク磁石（１３）と転動用軸（３）に固着した第２磁性体板（１５）を吸着させブラシ（４）を押し出した状態で保持し、またホルダ（５）にはホルダ（５）にブラシ（４）を引き込む円筒状の空間を設けて、転動用軸（３）をブラシ（４）の押し出し方向と反対方向への移動を可能とし、転動用軸（３）に挿入した空隙規制円筒（６）にて、ブラシ（４）の底面に固定した第１リング磁石（１１）とホルダ（５）に固定した第１磁性体板（１２）との間の吸引力を利用してブラシ（４）の収納位置を安定させるブラシ（４）が収納できる転動型掃除具（２１）。
【請求項２】
請求項１に示す転動型掃除具（２１）の第１磁性体板（１２）とホルダ（５）の凹みとの間につばが付いたスリーブ状の第１回転リング（１６）を設け、回転リング抑え板（１４）または第２リング磁石（１３）とホルダ（５）の凹みとの間につばが付いたスリーブ状の第２回転リング（１７）を設けたブラシ（４）が収納できる転動型掃除具（２２）。
【請求項３】
請求項１、２のいずれかのブラシ（４）が格納できる転動型掃除具（２１）または（２２）のいずれかにおいて、ホルダ（５）のブラシ（４）収納側と反対側に第２端部保持器（８）を設け、端部保持器（８）を設けたブラシ（４）が収納できる転動型掃除具（２３）。
【手続補正２】
【補正対象書類名】明細書
【補正対象項目名】全文
【補正方法】変更
【補正の内容】
【考案の詳細な説明】
【技術分野】
【０００１】      粘着テープロールを用いる転動型掃除具において、粘着テープロールを保持するホルダの内側にゴミを掃き寄せるブラシを内部に収納できる転動型掃除具に関する。
【背景技術】
【０００２】      粘着テープロールを用いる転動型掃除具には、その形状から掃除する場面、場所に制限がある。そこで局所のゴミを掃き寄せて粘着テープロールに付着させることが望まれる。そのため粘着テープロールにブラシを併設したゴミの掃除具は多くの事例がある。また、特許文献１及び２のように粘着テープロールの持ち手部分にブラシを取り付ける事例がある。
【先行技術文献】
【特許文献】
【０００３】
【特許文献１】公開実用新案公報  昭５８−９８０６３
【特許文献２】公開実用新案公報  昭６０−６３１５１
【考案の概要】
【考案が解決しようとする課題】
【０００４】      快適に掃除が可能な粘着テープロールを用いた転動型掃除具において、常にブラシを併設しておく掃除具は、その形状が大きくなり、時にはブラシを設けた効果が問われることがある。また、特許文献１及び２のブラシ配置は構造的にハンドブラシに制限され、転動型掃除具のように人が立ち姿で用いる掃除具ではブラシの使用が煩わしい。
【課題を解決するための手段】
【０００５】      粘着テープロールを用いる掃除具の使い勝手を良くするために、粘着テープロールホルダを転動用軸上で横行可能に取付け、粘着テープロールを装着するホルダ内に転動用軸に直結したブラシのブラシ部分を収納する空間を設けておき、ブラシの収納、押し出した状態を磁石により保持し、操作は上記磁石の保持力に打ち勝つように粘着テープロールとホルダを一体としてが横行するように、当該掃除具の握り手を持ち振ることでブラシの出し入れができる構造として実現できる。
【考案の効果】
【０００６】      本考案の転動型掃除具は、立ち姿で掃除する握り手を持ち長い操作棒の先に粘着テープロールをホルダに装着する構造の掃除具において、粘着テープロールを掃除方向に対して横方向に横行させることでブラシを出し入れすることができ、ブラシの収納、押し出し状態を磁力を用いて保持するため煩わしい操作を要せず、しかも、ブラシを粘着テープロールと並設する必要がないコンパクトな構成ができる。【０００７】      ブラシ収納ができる転動型掃除具は、ホルダが転動用軸上で回転するとともに、横行できなくてならないため、転動用軸とホルダの結合は、つばがついた回転リングを用いることで、ホルダの回転、横行が円滑に行え、長期にわたる使用が可能となる。【０００８】      ブラシ収納可能な転動型掃除具では、ホルダ内部にゴミが入りやすいため、ブラシ側はブラシとホルダ内のブラシ収納空間とブラシとの間隙を少なくすることと、ブラシ収納の反対側には第２端部保持器をはめ込むことで、ゴミの入り込みを防ぎ長期にわたり滑らかな操作が可能となる。
【図面の簡単な説明】
【０００９】
【図１】ブラシを押し出した状態のブラシを収納可能な転動型掃除具
【図２】ブラシを収納した状態のブラシ収納可能な転動型掃除具
【図３】本考案のブラシを収納した状態の転動型掃除具Ａ−Ａ断面図
【図４】第２の考案のブラシを収納した状態の転動型掃除具Ａ−Ａ断面図
【図５】第３の考案のブラシを収納した状態の転動型掃除具Ａ−Ａ断面図
【図６】第２の考案のブラシ側回転リング取付構造図
【図７】第２の考案の握り手側回転リング取付構造図
【考案を実施するための形態】
【００１０】      本考案は、粘着テープロールによる吸着によるゴミ掃除とブラシによるゴミを掃き寄せる掃除をコンパクトに構成するために、ブラシを粘着テープロールの内部に収納可能とし、適時にブラシを引き出すことを可能として、ブラシの収納、押し出し状体を磁石による磁力で保持する構造を用いて実現する。
【実施例１】
【００１１】      本考案の実施例を図１から図３を用いて説明する。図１はブラシを押し出した状態の斜視図であり、ブラシ４を押し出した状態を示している。また、図２はブラシ４を収納した状態を示しており、粘着ロールテープ１を装着したホルダ５ごと転動用軸３の軸上を横行（Ｌ１）させることによりブラシ４を出し入れする構造を採る。【００１２】      本考案を図２のＡ−Ａ断面図として、図３を用いて説明する。ホルダ５は、２つに分割し連結する構造をを採り、ブラシ側ホルダ５ａのブラシ収納側隔壁にはワッシャー状の第１磁性体板１２を固定し、握り手側ホルダ５ｂの隔壁には第２リング磁石１３を固定したうえでホルダ５ａ及び５ｂを連結しホルダ５を形成し、さらに、粘着テープロール１の位置を決めるため第１端部保持器７を嵌合し固定しておく。転動用軸３は先端にブラシ４を固定するためのねじを切っておきブラシ４と螺合することとし、ブラシ４の出し入れを考慮して転動用軸３の先端からの位置に第２磁性体板１５を転動用軸３上に固定しておく。【００１３】      ブラシ４の底部には転動用軸３をねじ込む取付ナット１０を固着するとともに、第１リング磁石１１を取り付ける。【００１４】      第２磁性体板１５を固定した転動用軸３をホルダ５の中心部の孔と、空隙規制円筒６を通しておき、ブラシ４の底部の取付ナット１０と強く螺合して、ブラシ収納が可能な転動型掃除具２１を完成する。
【実施例２】
【００１５】      第２の考案を図２のＡ−Ａ断面図として図４を、また図６及び図７を用いて説明する。ホルダ５は、２つに分割し連結する構造をを採り、図６に示すようにブラシ側ホルダ５ｃには、回転リング１６のつば部分を凹み空間を利用して、回転リング１６を挿入した上で、ワッシャー状の第１磁性体板１２を固定することで、第１回転リンク１６を挟んでおく。図７に示すように握り手側ホルダ５ｄの隔壁には第２回転リンク１７のつば部分を凹み空間を利用して、回転リング抑え板１４と第２リング磁石１３を固定することで第２回転リング１７を挟み込み、ホルダ５ｃ及び５ｄを連結し、ホルダ５を形成し、さらに、粘着テープロール１の位置を決めるため第１端部保持器７を嵌合しておく。転動用軸３は先端にブラシ４を固定するためのねじを切っておきブラシ４の取付ナット１０と螺合することとし、ブラシ４の出し入れを考慮した位置に第２磁性体板１５を転動用軸３上に固定しておく。【００１６】      ブラシ４の底部には転動用軸３をねじ込む取付ナット１０を固着するとともに、第１リング磁石１１を取り付けておく。【００１７】      第２磁性体板１５を固定した転動用軸３をホルダ５の中心部の孔に挟み込んでいる第２回転リング１７及び第１回転リング１６を通して、空隙規制円筒６を通しておき、ブラシ４の底部の取付ナット１０と強く螺合して、ブラシ収納が可能な転動型掃除具２２を完成する。
【実施例３】
【００１８】      第３の考案については図５で説明する。第３の考案はブラシ収納可能な転動型掃除具２１か２２のいずれかを組み立てと大部分は同じであるが、図５に示すように第２端部保持器８を第１端部保持器７に代えて用いるため、転動型掃除具２１か２２のいずれかの組み立て過程で、第１端部保持器７の取付を省き、握り手側から転動用軸３に第２端部保持器８を予め通しておき、ブラシ収納可能な転動型掃除具２１か２２のいずれかを組み立てた後で、第２端部保持器８を取付けブラシ収納可能な転動型掃除具２３を組み立てる。
【産業上の利用可能性】
【００１９】      本考案のブラシ収納が可能な転動型掃除具は、ブラシの出し入れ操作が異なるが、ハンドブラシ形式の転動型掃除具についても適用可能であることは言うまでもない。
【符号の説明】
【００２０】１  粘着テープロール２  一般的な転動型掃除具３  転動用軸４  ブラシ５  ホルダ５ａ、５ｂ  ホルダ５の連結部分５ｃ、５ｄ  回転リングのつばを収納できるホルダ５の連結部分６  空隙規制円筒７  第１端部保持器８  第２端部保持器１０  取付ナット１１  第１リング磁石１２  第１磁性体板１３  第２リング磁石１４  回転リング抑え板１５  第２磁性体板１６  第１回転リング１７  第２回転リング１８  握り手２１、２２、２３  ブラシ収納可能な転動型掃除具Ｌ１  ホルダーの横行距離Ｌ２  規制空隙